(57)【要約】【課題】  面状光源及び液晶表示装置において、拡散板等の撓みを軽減することができると共に拡散板の薄型化やシート化による軽量化も可能にすること。【解決手段】  上面が反射面とされた反射板２と、該反射板２の上方に設置され透過する光を拡散させる拡散板３及び拡散シート４と、反射板２上に設置されると共に内周面が反射面とされた反射枠部５と該反射枠部５の内側に設置されたＬＥＤ光源Ｌとから構成される複数の単位照明部６と、を備え、反射枠部５の上部で拡散板３及び拡散シート４が支持されている。【選択図】  図１
2010135204.tif 000002
【特許請求の範囲】
【請求項１】
上面が反射面とされた反射板と、
該反射板の上方に設置され透過する光を拡散させる拡散板又は拡散シートと、
前記反射板上に設置されると共に内周面が反射面とされた反射枠部と該反射枠部の内側に設置された光源とから構成される複数の単位照明部と、を備え、
前記反射枠部の上部で前記拡散板又は前記拡散シートが直接又は光学シートを介して支持されていることを特徴とする面状光源。
【請求項２】
請求項１に記載の面状光源において、
前記反射枠部の上部に、前記拡散板又は前記拡散シートを支持する複数の凸部が間隔を空けて形成されていることを特徴とする面状光源。
【請求項３】
請求項１又は２に記載の面状光源において、
前記反射枠部が、白色樹脂で形成されていることを特徴とする面状光源。
【請求項４】
請求項１から３のいずれか一項に記載の面状光源において、
複数の前記反射枠部が、正方形枠状又は長方形枠状とされ、
複数の単位照明部が、複数の縦列及び横列からなるマトリクス状に配置されていることを特徴とする面状光源。
【請求項５】
請求項４に記載の面状光源において、
複数の前記反射枠部が、一体成型により格子状に形成された格子状枠体として一体化されていることを特徴とする面状光源。
【請求項６】
請求項４に記載の面状光源において、
複数の前記反射枠部が、格子状に組まれた複数の短冊状部材で構成された格子状枠体として一体化されていることを特徴とする面状光源。
【請求項７】
請求項６に記載の面状光源において、
互いに交差する前記短冊状部材の少なくとも一方に延在方向に対して垂直に切り込みが形成され、該切り込みに他方が差し込まれて格子状に組まれていることを特徴とする面状光源。
【請求項８】
請求項１から７のいずれか一項に記載の面状光源において、
前記反射枠部の内周面が、前記拡散板又は前記拡散シートに向けて傾斜した傾斜面とされていることを特徴とする面状光源。
【請求項９】
液晶表示パネルと、
前記液晶表示パネルの裏面側に配された請求項１から８のいずれか一項に記載の面状光源と、を備えていることを特徴とする液晶表示装置。
【発明の詳細な説明】
【技術分野】
【０００１】
本発明は、液晶表示パネルなどを照明する面状光源及び液晶表示装置に関する。
【背景技術】
【０００２】
薄型テレビジョン装置や薄型モニター等の大型ディスプレイには、画像表示のための液晶表示装置が広く採用されている。この液晶表示装置には、液晶表示パネルの裏面側から光を照射して表示画面の輝度を高めるバックライトユニットが用いられている。
上記バックライトユニットでは、例えば導光板と、該導光板の側端面に配置させたＬＥＤ等の光源と、を備え、光源からの光を導光して主面全体から液晶表示パネルに向けて出射させているものがある。また、他のバックライトユニットとしては、導光板を用いず、拡散板の直下に距離を空けて複数の光源を設置し、各光源から直上の拡散板に光を出射する直下型バックライトがある。
【０００３】
近年、液晶テレビジョン装置の大型化に伴って、その軽量化や薄型化がさらに要望されているが、導光板を用いたバックライトユニットでは、大型の導光板又は複数の導光板を並べて設置する必要があり、重量が増してしまう問題がある。これに対して、導光板を用いない上記直下型バックライトでは、導光板の無い分、軽量化が可能であるが、混色性や輝度ムラを無くすために、光源と拡散板との距離を長く設定する等の必要がある。
【０００４】
すなわち、点光源であるＬＥＤ光源や線光源である冷陰極管等の光源の場合、光源の光出射方向である直上が非常に明るくなってしまう、いわゆるホットスポットとなり、輝度ムラが生じてしまうため、上記方法により、輝度の均一性及び混色性を向上させる必要がある。
このため、従来、例えば特許文献１には、光源と拡散板との距離を確保して拡散板を支持するために、支柱状の拡散板支持部材を設けたバックライト装置及び表示装置が提案されている。この装置では、支柱状の拡散板支持部材の上端で拡散板を支持して光源から拡散板を離すと共に、拡散板の自重による撓みの発生を防ごうとしている。
【０００５】
【特許文献１】特開２００７−１５７４５１号公報（特許請求の範囲、図１）
【発明の開示】
【発明が解決しようとする課題】
【０００６】
しかしながら、上記従来の技術には、以下の課題が残されている。
すなわち、特許文献１に記載の技術では、支柱状である拡散板支持部材の先端による点で拡散板を支えるため、薄い拡散板若しくは拡散シートを用いる場合、やはり撓みが発生してしまう不都合があった。この対策として、厚い拡散板を使用して撓みを抑制することも可能であるが、装置全体の薄型化や軽量化に悪影響を及ぼす問題がある。
【０００７】
本発明は、前述の課題に鑑みてなされたもので、拡散板等の撓みを軽減することができると共に拡散板の薄型化やシート化による軽量化も可能な面状光源及び液晶表示装置を提供することを目的とする。
【課題を解決するための手段】
【０００８】
本発明は、前記課題を解決するために以下の構成を採用した。すなわち、本発明の面状光源は、上面が反射面とされた反射板と、該反射板の上方に設置され透過する光を拡散させる拡散板又は拡散シートと、前記反射板上に設置されると共に内周面が反射面とされた反射枠部と該反射枠部の内側に設置された光源とから構成される複数の単位照明部と、を備え、前記反射枠部の上部で前記拡散板又は前記拡散シートが直接又は光学シートを介して支持されていることを特徴とする。
【０００９】
この面状光源では、反射枠部の上部で拡散板又は拡散シートが直接又は光学シートを介して支持されているので、拡散板又は拡散シートを支持する面積が増大され、かつ比較的近い間隔で拡散板又は拡散シートを支持できるので、拡散板又は拡散シートの撓みを防ぐことができると共に、より薄い拡散板の使用若しくは拡散板のシート化が可能になり、全体の薄型化及び軽量化が可能になる。すなわち、拡散板のような肉厚で剛性の高い部材を、拡散シート等の薄肉部材に置き換えることが可能になり、全体として薄型化を図ることができる。また、光源からの光が反射枠部の内周面で反射されることで、光源間の暗部が低減されて見栄えも向上し、輝度及び色度のばらつきを軽減することができる。さらに、撓みが軽減されるため、拡散板又は拡散シートの下に他の光学シートを配置させることもでき、拡散板又は拡散シートと共に光学シートを支持することができる。
【００１０】
また、本発明の面状光源は、前記反射枠部の上部に、前記拡散板又は前記拡散シートを支持する複数の凸部が間隔を空けて形成されていることを特徴とする。すなわち、この面状光源では、反射枠部の上部に、拡散板又は拡散シートを支持する複数の凸部が間隔を空けて形成されているので、複数の凸部によって拡散板又は拡散シートが多数箇所で支持されると共に、凸部間の隙間から隣接する単位照明部に相互に光が行き交い、単位照明部の境界をぼやかすことができる。したがって、凸部間の隙間を適宜調整することで、反射枠部内の光の閉じ込め程度を設定可能になり、拡散板に反映される反射枠部の輪郭を目立たなくすることができる。
【００１１】
また、本発明の面状光源は、前記反射枠部が、白色樹脂で形成されていることを特徴とする。すなわち、この面状光源では、反射枠部が、白色樹脂で形成されているので、特に反射加工等を施すことなく、内周面を反射効果及び拡散効果を有する白色面とすることができる。
【００１２】
また、本発明の面状光源は、複数の前記反射枠部が、正方形枠状又は長方形枠状とされ、複数の単位照明部が、複数の縦列及び横列からなるマトリクス状に配置されていることを特徴とする。すなわち、この面状光源では、複数の単位照明部が、複数の縦列及び横列からなるマトリクス状に配置されているので、単位照明部別に光源を部分駆動する部分輝度コントロールによって、いわゆるローカルディミングを容易に具現させることができる。
【００１３】
さらに、本発明の面状光源は、複数の前記反射枠部が、一体成型により格子状に形成された格子状枠体として一体化されていることを特徴とする。すなわち、この面状光源では、複数の反射枠部が、一体成型により格子状に形成された格子状枠体として一体化されているので、複数の部材で構成する場合よりも、部材コスト及び組立工程数の削減を図ることができる。
【００１４】
また、本発明の面状光源は、複数の前記反射枠部が、格子状に組まれた複数の短冊状部材で構成された格子状枠体として一体化されていることを特徴とする。すなわち、この面状光源では、複数の反射枠部が、格子状に組まれた複数の短冊状部材で構成された格子状枠体として一体化されているので、反射枠部が連続してマトリクス状に複数配列された格子状枠体を複数の短冊状部材で容易に作製することができ、個別部材の反射枠部を並べる場合よりも部材コスト及び組立工程数等を削減することができる。
【００１５】
さらに、本発明の面状光源は、互いに交差する前記短冊状部材の少なくとも一方に延在方向に対して垂直に切り込みが形成され、該切り込みに他方が差し込まれて格子状に組まれていることを特徴とする。すなわち、この面状光源では、互いに交差する短冊状部材の少なくとも一方に延在方向に対して垂直に切り込みが形成され、該切り込みに他方が差し込まれて格子状に組まれているので、平板である短冊状部材を噛み合わせて容易に作製できると共に、折りたたむことで輸送時や保管時の省スペース化が可能になる。
【００１６】
また、本発明の面状光源は、前記反射枠部の内周面が、前記拡散板又は前記拡散シートに向けて傾斜した傾斜面とされていることを特徴とする。すなわち、この面状光源では、反射枠部の内周面が、拡散板又は拡散シートに向けて傾斜した傾斜面とされているので、反射枠部の内周面で光源からの光を拡散板又は拡散シートに向けて反射することで、より高い輝度を得ることができる。
【００１７】
本発明の液晶表示装置は、液晶表示パネルと、前記液晶表示パネルの裏面側に配された上記本発明の面状光源と、を備えていることを特徴とする。すなわち、この液晶表示装置では、上記本発明の面状光源を備えているので、軽量でかつ薄型であって、良好な輝度が得られる大面積の画像表示が可能となる。
【発明の効果】
【００１８】
本発明によれば、以下の効果を奏する。
すなわち、本発明に係る面状光源によれば、反射枠部の上部で拡散板又は拡散シートが直接又は光学シートを介して支持されているので、増えた支持面積で拡散板又は拡散シートの撓みを防ぐことができると共に、全体の薄型化及び軽量化が可能になる。また、光源からの光が反射枠部の内周面で反射されることで、光源間の暗部が低減されて見栄えも向上し、輝度及び色度のばらつきを軽減することができる。
したがって、この面状光源を備えた液晶表示装置によれば、軽量でかつ薄型であって、良好な輝度が得られる大面積の画像表示が可能となる。
【発明を実施するための最良の形態】
【００１９】
以下、本発明に係る面状光源及び液晶表示装置の第１実施形態を、図１及び図２に基づいて説明する。なお、以下の説明に用いる各図面では、各部材を認識可能な大きさとするために縮尺を適宜変更している。
【００２０】
本実施形態における面状光源１は、液晶表示装置１０に用いるバックライトであって、図１及び図２に示すように、上面が反射面とされた反射板２と、該反射板２の上方に設置され透過する光を拡散させる拡散板３及び拡散シート４と、反射板２上に設置されると共に内周面が反射面とされた反射枠部５と該反射枠部５の内側に設置されたＬＥＤ光源（光源）Ｌから構成される複数の単位照明部６と、を備えている。
【００２１】
上記反射枠部５は、白色樹脂で正方形枠状又は長方形枠状に形成された仕切り枠であって、複数の縦列及び横列からなるマトリクス状に配置されている。これら反射枠部５は、一体成型により格子状に形成された格子状枠体７として全体が一体化されている。したがって、上記単位照明部６は、複数の縦列及び横列からなるマトリクス状に配置されている。例えば、大型サイズのバックライトで主流の縦横比である１６：９となるように、反射枠部５の形状及び設置配列を決定しても構わない。
【００２２】
なお、反射枠部５は、上記のように複数が一体化された格子状枠体７とすることが好ましいが、個別の部材とされた反射枠部５を格子状に複数配列させて設置しても構わない。
また、例えば、９つの反射枠部５が一体化された格子状枠体を、複数配列させて配置しても構わない。
また、反射枠部５及び格子状枠体７は、例えば、両面テープ等で反射板２上に接着されるが、反射枠部５及び格子状枠体７の下面に嵌め込み用凸部を複数設けて、これらに対応した凹部を反射板２上に複数設けて嵌め込み用凸部を嵌め込むことで、反射枠部５及び格子状枠体７を設置しても構わない。
【００２３】
上記ＬＥＤ光源Ｌは、それぞれフレキシブルプリント基板（図示略）に接続されている白色ＬＥＤである。このＬＥＤ光源Ｌは、光出射面を上方に向けて垂直方向に光軸を配して反射板２上に実装され、反射枠部５内の中央部に設置されている。
【００２４】
このＬＥＤ光源Ｌとされる白色ＬＥＤは、例えば基板上の半導体発光素子を封止樹脂で封止したものであり、半導体発光素子として、例えば青色（波長λ：４７０〜４９０ｎｍ）ＬＥＤ素子又は紫外光（波長λ：４７０ｎｍ未満）ＬＥＤ素子であって、例えばサファイア基板などの絶縁性基板上に窒化ガリウム系化合物半導体（例えばＩｎＧａＮ系化合物半導体）の複数の半導体層が積層されて形成されたものである。
また、この半導体発光素子を封止する封止樹脂は、シリコーン樹脂を主剤とし、例えばＹＡＧ蛍光体が添加されている。このＹＡＧ蛍光体は、半導体発光素子からの青色光又は紫外光を黄色光に変換させて混色効果により白色光を生じさせるものである。
なお、白色ＬＥＤとしては、上記以外でも種々のものが採用可能である。
【００２５】
上記拡散板３及び拡散シート４は、並べられた複数の反射枠部５上に配され下方からの光を拡散させて面内の光強度を均一にするものである。これら拡散板３と拡散シート４とは、例えば、アクリル樹脂やポリカーボネイト樹脂などの透明樹脂にシリカ粒子などを分散させた板材及びシート材で形成されている。
これら拡散板３及び拡散シート４は、反射枠部５の上部全体で支持されている。
【００２６】
上記反射板２は、板本体上のＬＥＤ光源４を設置する部分以外に反射シートが両面テープ等で貼られて反射面とされたものである。本実施形態では、白色シートを用いている。なお、反射シートは、光反射機能を有する金属板、フィルム、箔等、銀蒸着膜を設けたフィルムや、アルミ金属蒸着膜を設けたフィルムを採用しても構わない。
【００２７】
また、本実施形態の液晶表示装置１０は、例えば大型液晶テレビジョン装置等の液晶ディスプレイに適用される表示装置であって、図１に示すように、液晶表示パネル１１と、該液晶表示パネル１１の裏面側に配された上記面状光源１と、を備えている。
【００２８】
すなわち、この液晶表示装置１０は、上記面状光源１と、上記拡散板３及び拡散シート４上に配され拡散板３及び拡散シート４からの光を液晶表示パネル１１に向けた上方向への照射光として出射するプリズムシート１２と、該プリズムシート１２上に配された上記液晶表示パネル１１と、を備えている。
なお、本実施形態では、液晶表示パネル１１の画面側及び面状光源１の光出射面側を表面側又は上面側として記載している。
【００２９】
上記プリズムシート１２は、拡散シート４からの光を上面側に集光するための透明シート状の部材であり、平行な複数の稜線を有するプリズム部を上面側に有している。
上記液晶表示パネル１１は、透過型又は半透過型の液晶表示パネルが採用される。例えば、透過型の液晶表示パネル１１の場合、透明電極、配向膜及び偏光板をそれぞれ有する上基板と下基板との間隙に液晶材料をシール材で封止したＴＦＴ液晶方式、ＳＴＮ液晶方式やＴＮ液晶方式等のパネル本体を備えたものである。
【００３０】
このように実施形態の面状光源１は、反射枠部５の上部で拡散板３が支持されているので、拡散板３を支持する面積が増大され、かつ比較的近い間隔で拡散板３を支持できるので、拡散板３の撓みを防ぐことができると共に、より薄い拡散板３の使用若しくは拡散板３のシート化が可能になり、全体の薄型化及び軽量化が可能になる。すなわち、複数の反射枠部５で構成された格子状枠体７の上部で格子状に拡散板３及び拡散シート４全体を支持しており、拡散板３及び拡散シート４が自重で撓むことを防いでいる。したがって、拡散板３のような肉厚で剛性の高い部材を、拡散シート４等の薄肉部材に置き換えることも可能になり、全体として薄型化を図ることができる。
【００３１】
また、ＬＥＤ光源Ｌからの光が反射枠部５の内周面で反射されることで、ＬＥＤ光源Ｌ間の暗部が低減されて見栄えも向上し、輝度及び色度のばらつきを軽減することができる。
また、反射枠部５が、白色樹脂で形成されているので、特に反射加工等を施すことなく、内周面を反射効果及び拡散効果を有する白色面とすることができる。
さらに、複数の反射枠部５が、一体成型により格子状に形成された格子状枠体７として一体化されているので、複数の部材で構成する場合よりも、部材コスト及び組立工程数の削減を図ることができる。
【００３２】
また、複数の単位照明部６が、複数の縦列及び横列からなるマトリクス状に配置されているので、単位照明部別に光源を部分駆動する部分輝度コントロールによって、ローカルディミングを容易に具現させることができる。例えば、ローカルディミングとして、液晶表示パネル１１に表示される画像の輝度やコントラスト等に応じて、バックライトの輝度を制御し、液晶表示パネル１１に入力される画像データに基づいてバックライトの輝度を単位照明部６毎に場所的及び時間的に制御して明るさを調整することで、消費電力の低減及びコントラストや動画追従性等を向上させることが可能になる。
【００３３】
したがって、この面状光源１をバックライトユニットとして採用した液晶表示装置１０では、軽量でかつ薄型であって、良好な輝度が得られる大面積の画像表示が可能となる。
【００３４】
次に、本発明に係る面状光源及び液晶表示装置の第２から第５実施形態について、図３から図８を参照して以下に説明する。なお、以下の各実施形態の説明において、上記実施形態において説明した同一の構成要素には同一の符号を付し、その説明は省略する。
【００３５】
第２実施形態と第１実施形態との異なる点は、第１実施形態では、格子状に一体成型され複数の反射枠部５からなる格子状枠体７を採用しているのに対し、第２実施形態の面状光源では、図３から図５に示すように、複数の反射枠部２５が、格子状に組まれた複数の短冊状部材２５Ａ，２５Ｂで構成された格子状枠体２７として一体化されている点である。
【００３６】
また、格子状枠体２７は、図３及び図４に示すように、互いに交差する短冊状部材２５Ａ，２５Ｂの両方に、延在方向に対して垂直に切り込み２５ａ，２５ｂが所定間隔を空けて複数形成され、これら切り込み２５ａ，２５ｂに他方の短冊状部材２５Ａ，２５Ｂが差し込まれて格子状に組まれている。そして、組み立て状態で、各短冊状部材２５Ａ，２５Ｂの上部及び下部が面一になるように設定され、反射枠部２５の高さが均一に設定されている。
【００３７】
このように第２実施形態の面状光源では、複数の反射枠部２５が、格子状に組まれた複数の短冊状部材２５Ａ，２５Ｂで構成された格子状枠体２７として一体化されているので、反射枠部２５が連続してマトリクス状に複数配列された格子状枠体２７を複数の短冊状部材２５Ａ，２５Ｂで容易に作製することができ、個別部材の反射枠部を並べる場合よりも部材コスト及び組立工程数等を削減することができる。
【００３８】
特に、互いに交差する短冊状部材２５Ａ，２５Ｂに延在方向に対して垂直に切り込み２５ａ，２５ｂが形成され、該切り込み２５ａ，２５ｂに他方が差し込まれて格子状に組まれているので、平板である短冊状部材２５Ａ，２５Ｂを噛み合わせて容易に作製できると共に、図５の（ａ）（ｂ）（ｃ）に示すように、折りたたむことで輸送時や保管時の省スペース化が可能になる。
【００３９】
第３実施形態と第２実施形態との異なる点は、第２実施形態では、複数の短冊状部材２５Ａ，２５Ｂで構成された反射枠部２５の上部全体で拡散板３を支持しているのに対し、第３実施形態の面状光源では、図６に示すように、複数の短冊状部材３５Ａ，３５Ｂで構成された反射枠部３５及び格子状枠体３７の上部に、拡散板３を支持する複数の凸部３５ｂが間隔を空けて形成されている点である。
【００４０】
すなわち、第３実施形態では、格子状に組まれた複数の短冊状部材３５Ａ，３５Ｂの上部に矩形状に突出した複数の凸部３５ｂが短冊状部材３５Ａ，３５Ｂが交差する部分に形成されて、十字状凸部３５ｃを構成している。したがって、これら十字状凸部３５ｃが格子状に配列されて拡散板３を支持している。
【００４１】
このように第３実施形態では、複数の反射枠部３５で構成された格子状枠体３７の上部に、拡散板３を支持する複数の十字状凸部３５ｃが間隔を空けて形成されているので、複数の十字状凸部３５ｃによって拡散板３が多数箇所で支持されると共に、十字状凸部３５ｃ間の隙間から隣接する単位照明部６に相互に光が行き交い、単位照明部６の境界をぼやかすことができる。したがって、凸部３５ｂの幅や突出量を変更して十字状凸部３５ｃ間の隙間を適宜調整することで、反射枠部３５内の光の閉じ込め程度を設定可能になり、拡散板３に反映される反射枠部３５の輪郭を目立たなくすることができる。
【００４２】
第４実施形態と第３実施形態との異なる点は、第３実施形態では、複数の凸部４５ｂが短冊状部材４５Ａ，４５Ｂが交差する部分に形成されて十字状凸部４５ｃを構成しているのに対し、第４実施形態の面状光源では、図７に示すように、複数の凸部４５ｂが短冊状部材４５Ａ，４５Ｂが交差する部分同士の中間部分に形成されている点である。
【００４３】
すなわち、第４実施形態では、短冊状部材４５Ａ，４５Ｂの上部であって隣接する交差部分の間に形成された矩形状の凸部４５ｂで拡散板３が支持されている。したがって、第４実施形態でも、第３実施形態と同様に、複数の凸部４５ｂによって拡散板３が多数箇所で支持されると共に、凸部４５ｂ間の隙間から隣接する単位照明部６に相互に光が行き交い、単位照明部６の境界をぼやかすことができる。
【００４４】
第５実施形態と第１実施形態との異なる点は、第１実施形態では、反射板２に対して垂直な内周面を有する反射枠部５を採用しているのに対し、第５実施形態の面状光源５１及び液晶表示装置５０では、図８に示すように、反射枠部５５の内周面が、拡散板３及び拡散シート４に向けて傾斜した傾斜面とされている点である。
すなわち、第５実施形態の面状光源５１では、各反射枠部５５の内周面が凹曲面状の傾斜面とされてカップ状に一体成型された格子状枠体５７が、反射板２上に設置されている。
【００４５】
また、第５実施形態では、ＬＥＤ光源Ｌの直上領域に白色インク５８ａがドット印刷された光透過性の高い輝度調整シート（光学シート）５８が拡散板３の下に配置されている点で、第１実施形態と異なっている。すなわち、第５実施形態では、拡散板３が輝度調整シート５８を介して反射枠部５５の上部に支持されている。
【００４６】
このように第５実施形態の面状光源５１では、反射枠部５５の内周面が、拡散板３及び拡散シート４に向けて傾斜した傾斜面とされているので、反射枠部５５の内周面でＬＥＤ光源Ｌからの光を拡散板３及び拡散シート４に向けて反射することで、より高い輝度を得ることができる。
また、ＬＥＤ光源Ｌの直上領域に白色インク５８ａがドット印刷された光透過性の高い輝度調整シート５８が拡散板３の下に配置されているので、ＬＥＤ光源Ｌの直上に生じる明部（ホットスポット）をぼかし、さらに見栄えを向上させることができる。
【００４７】
このように、反射枠部５５によって撓みが軽減されるため、拡散板３の下に輝度調整シート５８等の他の光学シートを配置させることができ、拡散板３と共に光学シートを支持することができる。
なお、上方に光を出射するＬＥＤ光源Ｌを採用しているが、反射板２に平行な方向に光を出射するＬＥＤ光源Ｌを採用しても構わない。この場合でも、ＬＥＤ光源Ｌから反射板２に平行に出射された光は、反射枠部５５の傾斜した内周面によって拡散板３に向けて反射されて照明光として上方に出射させることが可能である。
【００４８】
なお、本発明は上記各実施形態に限定されるものではなく、本発明の趣旨を逸脱しない範囲において種々の変更を加えることができる。
【００４９】
例えば、上記各実施形態では、正方形枠状又は長方形枠状の反射枠部を用いているが、三角形枠状や六角形枠状等の他の多角形状の反射枠部を採用しても構わない。
また、上記反射枠部を、白色樹脂で形成して内周面を白色としているが、内周面に銀蒸着膜やアルミ金属蒸着膜等を設けて銀色としても構わない。
【００５０】
また、光源としては、点光源であるＬＥＤ光源を採用しているが、線光源である冷陰極管等の蛍光管を採用しても構わない。
また、ＬＥＤ光源としてＲＧＢ−ＬＥＤを用いて、あらゆる色の光を出射させることも可能である。例えば、ＲＧＢ−ＬＥＤとして、一つのパッケージに赤色ＬＥＤ素子（Ｒ）、緑色ＬＥＤ素子（Ｇ）及び青色ＬＥＤ素子（Ｂ）を実装したＬＥＤを光源とする場合や、一つの反射枠部に互いに発光色の異なるＬＥＤ光源をそれぞれ配置しても構わない。これらの場合、各ＬＥＤにおいて印加電流を制御することで、面状光源全体又は単位照明部毎に、様々な色の光で照明することが可能になる。
【００５１】
また、上記各実施形態の面状光源では、拡散板及び拡散シートを各１枚用いているが、いずれか一方を省略したり、少なくとも一方を複数枚使用しても構わない。さらに、拡散板又は拡散シートを、プリズムシートと液晶表示パネルとの間に配置したバックライトユニットとしても構わない。この場合、拡散板又は拡散シートは、プリズムシート（光学シート）を介して反射枠体の上部に支持される。このように、拡散板及び拡散シートは、輝度ムラ調整のため、その枚数やヘイズを考慮して適宜、設置位置及び枚数等が設定される。
また、１枚のプリズムシートを用いているが、２枚のプリズムシートを採用したバックライトユニットとしても構わない。
【図面の簡単な説明】
【００５２】
【図１】本発明に係る面状光源及び液晶表示装置の第１実施形態において、液晶表示装置を示す概略的な要部の拡大断面図である。
【図２】第１実施形態において、４つの単位照明部を並べた面状光源を、拡散板及び拡散シートを除いて示す上面図である。
【図３】本発明に係る面状光源及び液晶表示装置の第２実施形態において、格子状枠体を示す分解斜視図である。
【図４】第２実施形態において、格子状枠体を示す斜視図である。
【図５】第２実施形態において、格子状枠体の折り畳み前、折り畳み途中及び折り畳み後の各状態を示す上面図である。
【図６】本発明に係る面状光源及び液晶表示装置の第３実施形態において、格子状枠体を示す斜視図である。
【図７】本発明に係る面状光源及び液晶表示装置の第４実施形態において、格子状枠体を示す斜視図である。
【図８】本発明に係る面状光源及び液晶表示装置の第５実施形態において、液晶表示装置を示す概略的な要部の拡大断面図である。
【符号の説明】
【００５３】
１，５１…面状光源、２…反射板、３…拡散板、４…拡散シート、５，２５…反射枠部、６…単位照明部、７，２７，３７，４７…格子状枠体、１０，５０…液晶表示装置、１１…液晶表示パネル、２５Ａ，２５Ｂ，３５Ａ，３５Ｂ，４５Ａ，４５Ｂ…短冊状部材、２５ａ，２５ｂ…短冊状部材の切り込み、３５ｂ，４５ｂ…凸部、３５ｃ…十字状凸部、５８…輝度調整シート（光学シート）、Ｌ…ＬＥＤ光源（光源）
【図１】
2010135204.tif 000003
【図２】
2010135204.tif 000004
【図３】
2010135204.tif 000005
【図４】
2010135204.tif 000006
【図５】
2010135204.tif 000007
【図６】
2010135204.tif 000008
【図７】
2010135204.tif 000009
【図８】
2010135204.tif 000010